(57)【要約】【課題】電池内に充填された溶液を容易に撹拌することができ、電池性能を回復することが可能なフレキシブル燃料電池を提供する。【解決手段】表面に酸化還元酵素が存在すると共に、導電性接着剤により集電体３，４が導通接続されているアノード電極シート１及びカソード電極シート２を対向配置し、その間にプロトン透過膜からなるセパレータ５を配置する。また、少なくともアノード電極シートに接触する位置に燃料溶液が充填される燃料貯留部を設けて、電池部９とする。そして、この電池部９を、柔軟性を有する封止用シート６，７で封止してフレキシブルバイオ燃料電池１０とする。【選択図】図１
2011243398.tif 000002
【特許請求の範囲】
【請求項１】
１又は複数の電池部と、
該電池部を覆う封止用シートと、を有し、
前記電池部は、
アノード及びカソードを構成し、少なくとも一方の表面に酸化還元酵素が存在する１対の電極シートと、
該電極シート間に配置され、プロトン透過膜からなるセパレータと、
導電性接着剤によって各電極シートに導通接続された１対の集電体と、
少なくともアノードに接触する位置に設けられ、燃料成分を含む燃料溶液が貯留される燃料貯留部と、
を少なくとも備えるフレキシブル燃料電池。
【請求項２】
前記電極シートが炭素繊維で形成されている請求項１に記載のフレキシブル燃料電池。
【請求項３】
カソード側の封止用シートには複数の孔が設けられており、
該封止用シートとカソードを構成する電極シートとの間には、液体は透過せず気体のみを透過する気体透過膜が配置されている請求項１又は２に記載のフレキシブル燃料電池。
【請求項４】
更に、前記電池部に電池性能を確認するための参照電極が設けられている請求項１乃至３のいずれか１項に記載のフレキシブル燃料電池。
【請求項５】
山折りと谷折りが繰り返し形成された蛇腹構造となっている請求項１乃至４のいずれか１項に記載のフレキシブル燃料電池。
【請求項６】
前記封止用シートに端子が設けられ、積層することにより電池同士が直列接続又は並列接続される請求項５に記載のフレキシブル燃料電池。
【発明の詳細な説明】
【技術分野】
【０００１】
本発明は、柔軟性を有するフレキシブル燃料電池に関する。より詳しくは、反応触媒に酵素を用いたバイオ燃料電池に関する。
【背景技術】
【０００２】
反応触媒として酸化還元酵素を使用したバイオ燃料電池は、グルコース及びエタノールのように通常の工業触媒では利用できない燃料から、効率よく電子を取り出すことができるため、高容量でかつ安全性が高い次世代の燃料電池として注目されている。図７は酵素を使用したバイオ燃料電池の反応スキームを示す図である。例えば、図７に示すように、グルコースを燃料とするバイオ燃料電池の場合、負極（アノード）ではグルコース（Glucose）の酸化反応が進行して電子が取り出され、正極（カソード）では大気中の酸素（Ｏ２）の還元反応が進行する。
【０００３】
一方、一般的な電池の筐体は、外部応力による構造の歪みや電解質膜へのダメージによる燃料のクロスオーバーを防ぐため、また、電池が破損して電池内の溶液などが流出することを防ぐために、金属などの柔軟性に乏しい材料で形成されている。更に、従来の電池では、電池内部の電解質や触媒層も、柔軟性のない硬質の材料で形成されていることがある。
【０００４】
同様に、バイオ燃料電池においても、従来、プラスチック製や金属製の筐体が用いられている（例えば、特許文献１，２参照。）。例えば、特許文献１では、金属筐体を使用したボタン電池や筒型の電池が提案されている。また、特許文献２では、プラスチック製の筐体を使用したキューブ型の電池が提案されている。
【先行技術文献】
【特許文献】
【０００５】
【特許文献１】特開２００８−２８２５８６号公報
【特許文献２】特開２００９−０４８８４８号公報
【発明の概要】
【発明が解決しようとする課題】
【０００６】
しかしながら、燃料電池のように、燃料供給が必要で、かつ燃料極（アノード）及び空気極（カソード）で溶液のｐＨや溶存物質の勾配が発生する電池の場合、電池性能の経時による低下が速いという問題点がある。このため、従来の燃料電池（アクティブ型）では、燃料溶液を混合するために、電力を使用して溶液を撹拌する機能が付加されているが、その場合、撹拌に電力を使用するため発電効率の低下を招き、更に、構造も複雑になる。
【０００７】
また、バイオ燃料電池では、構造の簡素化及び発電効率の向上は重要な事項であり、特にパッシブ型バイオ燃料電池において、電力を使用せずに電池部内の溶液を撹拌する方法が求められている。
【０００８】
そこで、本発明は、電池内に充填された溶液を容易に撹拌することができ、電池性能を回復することが可能なフレキシブル燃料電池を提供することを主目的とする。
【課題を解決するための手段】
【０００９】
本発明に係るフレキシブル燃料電池は、１又は複数の電池部と、該電池部を覆う封止用シートと、を有し、前記電池部には、アノード及びカソードを構成し、少なくとも一方の表面に酸化還元酵素が存在する１対の電極シートと、該電極シート間に配置され、プロトン透過膜からなるセパレータと、導電性接着剤によって各電極シートに導通接続された１対の集電体と、少なくともアノードに接触する位置に設けられ、燃料成分を含む燃料溶液が貯留される燃料貯留部と、が少なくとも設けられている。
ここで、電極シートの表面とは、電極の外面と電極内部の空隙の内面との全体を含み、以下の記載においても同様とする。
本発明においては、電池部及び筐体（封止用シート）を柔軟な素材で構成しているため、外的圧力により容易に電池全体又は一部が変形する。このため、電池を曲げるなどの簡便な方法で、電池内に充填された溶液（燃料溶液、電解液など）を撹拌することが可能である。
この燃料電池では、電極シートが炭素繊維で形成されていてもよい。
また、カソード側の封止用シートには複数の孔が設けられており、この封止用シートとカソードを構成する電極シートとの間に、液体は透過せず気体のみを透過する気体透過膜が配置された構成とすることもできる。
更に、電池部には、電池性能を確認するための参照電極が設けられていてもよい。
更にまた、山折りと谷折りが繰り返し形成された蛇腹構造とすることもできる。この場合、封止用シートに端子を設け、積層することにより電池同士が直列接続又は並列接続される構成としてもよい。
【発明の効果】
【００１０】
本発明によれば、電池内に充填されている溶液を容易に撹拌することができるため、濃度勾配やｐＨ勾配を解消して電池性能を回復させることが可能となる。
【図面の簡単な説明】
【００１１】
【図１】本発明の第１の実施形態のバイオ燃料電池の構成を示す分解斜視図である。
【図２】本発明の第２の実施形態のバイオ燃料電池の構成を示す分解斜視図である。
【図３】本発明の第３の実施形態のバイオ燃料電池の動作を模試的に示す図である。
【図４】図３に示すバイオ燃料電池３０を積層したときの動作を模式的に示す図である。
【図５】本発明の実施例のバイオ燃料電池で使用したカソード側封止用シート１７における孔配置１７ａを示す図である。
【図６】横軸に時間、縦軸に電流値をとって、本発明の実施例のバイオ燃料電池に外圧を加えたときの電流挙動を示すグラフ図である。
【図７】酵素を使用したバイオ燃料電池の反応スキームを示す図である。
【発明を実施するための形態】
【００１２】
以下、本発明を実施するための形態について、添付の図面を参照して詳細に説明する。なお、本発明は、以下に示す各実施形態に限定されるものではない。また、説明は、以下の順序で行う。
１．第１の実施の形態
（シート状のフレキシブルバイオ燃料電池の例）
２．第２の実施の形態
（空気極側の封止用シートに孔が形成されているフレキシブルバイオ燃料電池の例）
３．第３の実施の形態
（蛇腹構造のフレキシブルバイオ燃料電池の例）
【００１３】
＜１．第１の実施の形態＞
［全体構成］
先ず、本発明の第１の実施形態に係るフレキシブルバイオ燃料電池（以下、単にバイオ燃料電池という）について説明する。図１は本発実施形態のバイオ燃料電池の構成を示す分解斜視図である。図１に示すように、本実施形態のバイオ燃料電池１０では、電池部９全体を２枚の封止用シート６，７で覆い、封止した構成となっている。
【００１４】
［電池部９について］
このバイオ燃料電池１０の電池部９には、アノード電極シート１とカソード電極シート２とが所定の間隔をあけて対向配置されている。そして、これら電極シート１，２のうち、少なくともアノード電極シート１の表面には、反応触媒として機能する酸化還元酵素が存在している。また、アノード電極シート１及びカソード電極シート２には、それぞれアノード集電体３及びカソード集電体４が、導電性接着剤（図示せず）によって導通接続されている。
【００１５】
更に、これら１対の電極シート１，２間には、セパレータ５が配置されている。そして、少なくともアノード電極シート１に接触する位置には、燃料成分を含む燃料溶液が貯留される燃料貯留部が設けられている。具体的には、例えばセパレータ５が液体を透過しない材料で形成されていた場合は、封止シート６とセパレータ５との間が燃料貯留部となり、セパレータ５が液体を透過する材料で形成されていた場合は、封止シート６と封止シート７との間が燃料貯留部となる。
【００１６】
［電極シート１，２］
電極シート１，２としては、例えば、カーボンフェルト、カーボンペーパー、炭素繊維又は炭素微粒子の積層体などの柔軟性があるカーボン系材料を使用することができる。なお、これら電極シート１，２の厚さは、特に限定されるものではなく、使用する材料の強度や特性（抵抗など）に応じて、適宜選択することができる。
【００１７】
また、アノード電極シート１の表面に固定化される酵素としては、例えば燃料成分がグルコースである場合は、グルコースを分解するグルコースデヒドロゲナーゼ（ＧＤＨ）を使用することができる。更に、燃料成分にグルコースなどの単糖類を用いる場合には、アノード表面に、ＧＤＨのような単糖類の酸化を促進して分解する酸化酵素と共に、補酵素酸化酵素や電子メディエーターが固定化されていることが望ましい。
【００１８】
補酵素酸化酵素は、酸化酵素によって還元される補酵素（例えば、ＮＡＤ＋，ＮＡＤＰ＋など）と、補酵素の還元体（例えば、ＮＡＤＨ，ＮＡＤＰＨなど）を酸化するものであり、例えば、ジアホラーゼなどが挙げられる。この補酵素酸化酵素の作用により、補酵素が酸化体に戻るときに電子が生成され、補酵素酸化酵素から電子メディエーターを介して電極に電子が渡される。
【００１９】
また、電子メディエーターとしては、キノン骨格を有する化合物を使用することが好ましく、特に、ナフトキノン骨格を有する化合物が好適である。具体的には、２−アミノ−１，４−ナフトキノン（ＡＮＱ）、２−アミノ−３−メチル−１，４−ナフトキノン（ＡＭＮＱ）、２−メチル−１，４−ナフトキノン（ＶＫ３）、２−アミノ−３−カルボキシ−１，４−ナフトキノン（ＡＣＮＱ）などを用いることができる。また、キノン骨格を有する化合物としては、ナフトキノン骨格を有する化合物以外に、例えば、アントラキノンやその誘導体を用いることもできる。更に、必要に応じて、キノン骨格を有する化合物と共に、電子メディエーターとして作用する１種又は２種以上の他の化合物を固定化してもよい。
【００２０】
一方、燃料成分に多糖類を用いる場合には、前述した酸化酵素、補酵素酸化酵素、補酵素及び電子メディエーターに加えて、多糖類の加水分解などの分解を促進し、グルコースなどの単糖類を生成する分解酵素が固定化されていることが望ましい。なお、ここでいう「多糖類」は、広義の多糖類であり、加水分解によって２分子以上の単糖を生じる全ての炭水化物を指し、二糖、三糖及び四糖などのオリゴ糖を含む。具体的には、デンプン、アミロース、アミロペクチン、グリコーゲン、セルロース、マルトース、スクロース及びラクトースなどが挙げられる。これらは２以上の単糖類が結合したものであり、いずれの多糖類においても結合単位の単糖類としてグルコースが含まれている。
【００２１】
また、アミロースとアミロペクチンとはデンプンに含まれる成分であり、デンプンはアミロースとアミロペクチンとの混合物である。例えば、多糖類の分解酵素としてグルコアミラーゼを使用し、単糖類を分解する酸化酵素としてグルコースデヒドロゲナーゼを使用する場合には、燃料成分にはグルコアミラーゼによりグルコースにまで分解することができる多糖類を使用することができる。このような多糖類としては、例えばデンプン、アミロース、アミロペクチン、グリコーゲン及びマルトースなどが挙げられる。ここで、グルコアミラーゼは、デンプンなどのα−グルカンを加水分解しグルコースを生成する分解酵素であり、グルコースデヒドロゲナーゼは、β−Ｄ−グルコースをＤ−グルコノ−δ−ラクトンに酸化する酸化酵素である。
【００２２】
一方、カソード電極シート２にも酸化還元酵素を固定化する場合は、例えば、ビリルビンオキシダーゼ、ラッカーゼ及びアスコルビン酸オキシダーゼなどを使用することができる。また、これらの酵素と共に固定化される電子メディエーターとしては、例えば、ヘキサシアノ鉄酸カリウム、フェリシアン化カリウム及びオクタシアノタングステン酸カリウムなどが挙げられる。
【００２３】
なお、各電極シート１，２は、表面に酸化還元酵素が固定化されているものに限定されるものではなく、電極表面に酸化還元酵素が存在していればよく、例えば、酸化還元酵素を有し反応触媒として作用する微生物が付着した電極などを使用することも可能である。
【００２４】
［集電体３，４］
集電体３，４の材質は、特に限定されるものではなく、外部と電気的に接続可能で、かつバイオ燃料電池内において電気化学反応を生じない材料であればよい。具体的には、Ｐｔ、Ａｇ、Ａｕ、Ｒｕ、Ｒｈ、Ｏｓ、Ｎｂ、Ｍｏ、Ｉｎ、Ｉｒ、Ｚｎ、Ｍｎ、Ｆｅ、Ｃｏ、Ｔｉ、Ｖ、Ｃｒ、Ｐｄ、Ｒｅ、Ｔａ、Ｗ、Ｚｒ、Ｇｅ及びＨｆ等の金属材料、アルメル、真ちゅう、ジュラルミン、青銅、ニッケリン、白金ロジウム、パーマロイ、パーメンダー、洋銀及びリン青銅等の合金類、ポリアセチレン類等の導電性高分子、カーボンフェルト、カーボンペーパー、炭素繊維又は炭素微粒子の積層体などのカーボン系材料、ＨｆＢ２、ＮｂＢ、ＣｒＢ２及びＢ４Ｃ等の硼化物、ＴｉＮ及びＺｒＮ等の窒化物、ＶＳｉ２、ＮｂＳｉ２、ＭｏＳｉ２及びＴａＳｉ２等の珪化物、並びにこれらの複合材料などが挙げられる。
【００２５】
また、これら集電体３，４の厚さや物性も特に限定されるものではなく、電池全体の柔軟性を低下させない程度の柔軟性及び屈曲性を有し、屈曲させた際に電気的特性が大きく変化しない材料であればよい。
【００２６】
［導電性接着剤］
導電性接着剤は、集電体３，４を、電極シート１，２に導通可能に固定するものであり、電極シート１，２及び集電体３，４の特性に影響を与えないものであれば、その材質などは特に限定されるものではない。具体的には、天然黒鉛とバインダー（例えばポリビニルブチラールなど）とを有機溶媒に分散させたものなどを使用することができる。また、本実施形態のバイオ燃料電池で使用する導電性接着剤は、非水溶性であることが望ましい。
【００２７】
［セパレータ５］
セパレータ５は、各電極（電極シート１，２）の短絡を防止するものであり、柔軟性を有し、かつ、プロトンを透過する材料により形成されている。具体的には、例えば、不織布、セロハン、ＰＴＦＥ（PolyTetraFluoroEthylene：ポリテトラフルオロエチレン）などを使用することができる。また、その厚さや物性は、特に限定されるものではなく、電池全体の柔軟性を低下させない程度の柔軟性及び屈曲性を有し、屈曲させた際に特性が大きく変化しない材料であればよい。
【００２８】
［封止用シート６，７］
アノード側封止用シート６及びカソード側封止用シート７には、例えば、ポリエチレン、ポリプロピレン、ＰＴＦＥなどの柔軟性を有するプラスチック材料、伸縮性のあるゴムなどを使用することができる。特に、プラスチック材料は、フィルム加工が容易であるため、好適である。また、カソード側封止用シート７に、ＰＴＦＥ膜などのように液体は透過せず気体のみを透過する気体透過膜を使用すると、空気極（アノード電極シート２）にスムーズに空気（酸素）を供給することが可能となる。
【００２９】
更に、各封止用シート６，７の厚さや物性は、特に限定されるものではなく、電池全体の柔軟性を低下させない程度の柔軟性及び屈曲性を有し、屈曲させた際に特性が大きく変化しない材料であればよい。
【００３０】
［燃料溶液］
燃料溶液は、糖、アルコール、アルデヒド、脂質及びタンパク質などの燃料成分又はこれら燃料成分のうち少なくとも１種を含有する溶液である。本実施形態のバイオ燃料電池で使用される燃料成分としては、例えば、グルコース、フルクトース、ソルボースなどの糖類、メタノール、エタノール、プロパノール、グリセリン、ポリビニルアルコールなどのアルコール類、ホルムアルデヒド、アセトアルデヒドなどのアルデヒド類、酢酸、蟻酸、ピルビン酸などの有機酸などが挙げられる。その他、脂肪類やタンパク質、これらの糖代謝の中間生成物である有機酸などを燃料成分として使用することも可能である。
【００３１】
［動作］
次に、本実施形態のバイオ燃料電池１０の動作について説明する。本実施形態のバイオ燃料電池では、シリンジ１１などを使用して、燃料溶液を、アノード電極シート１に接触する位置、例えば、アノード電極シート１とセパレータ５との間に注入する。一方、カソード電極シート２には、カソード側封止用シート７を透過して、酸素が供給される。
【００３２】
これにより、本実施形態のバイオ燃料電池１０では、アノード電極シート１において、表面に固定化された酵素により燃料を分解して、電子を取り出すと共にプロトン（Ｈ＋）を発生する。一方、カソード電極シート２においては、アノード電極シート１からプロトン伝導体を介して輸送されたプロトンと、アノード電極シート１から外部回路を通って送られた電子と、例えばカソード電極シート２周辺に存在する酸素とにより水を生成する。
【００３３】
そして、経時変化によりその出力が低下した場合は、例えば、バイオ燃料電池１０を、手で揉む、屈曲させるなどの方法で、電池内の溶液を撹拌すればよい。これにより、電池性能を容易に回復させることができる。
【００３４】
［参照電極］
なお、本実施形態のバイオ燃料電池１０では、必要に応じて、アノード電極シート１と、セパレータ５との間に、電池性能、特に燃料極性能を確認するための参照電極を設けることができる。これにより、電池性能の低下をモニターすることができるため、使用者に対して、電池性能回復のタイミングを知らせることが可能となる。この参照電極としては、電池全体の柔軟性を低下させないものであればよく、例えば、Ａｇ／ＡｇＣｌなどを使用することができる。
【００３５】
本実施形態のバイオ燃料電池１０は、電池部９及び筐体となる封止用シート６，７を柔軟な素材で構成しているため、外的圧力により容易に電池全体又は一部を変形させることができる。また、本実施形態のバイオ電池１０において反応触媒として使用している酸化還元酵素は、基質特性が高いため、燃料のクロスオーバーがない。これにより、設計構造の自由度が向上すると共に、電池を曲げるなどの簡便な方法で、電池内に充填された溶液（燃料溶液、電解液など）を撹拌することが可能となる。
【００３６】
その結果、枯渇した燃料の供給や、燃料極・空気極で発生したｐＨ勾配及び反応阻害物質の蓄積をキャンセルすることができるため、経時変化により低下した電池性能を、容易に回復させることができる。また、従来の燃料電池では、内部に強アルカリ溶液や有機溶媒などが充填されていたが、本実施形態のバイオ燃料電池は、ｐＨが中性の水溶液など比較的安全な溶液を使用しているため、流出しても安全であり、発火などの虞もない。
【００３７】
本実施形態の燃料電池１０は、薄い材料を選択することにより、厚さ１ｍｍ以下の電池を実現することができ、更には、折りたたんだ状態で発電させることも可能である。
【００３８】
なお、本実施形態の構成は、電池本体に電池部９が１つ設けられた「単セル」構造のものだけでなく、複数の電池部が直列又は並列に接続されている構造のものにも適用することが可能である。
【００３９】
＜２．第２の実施の形態＞
［電池の全体構成］
次に、本発明の第２の実施形態に係るバイオ燃料電池について説明する。図２は本実施形態のバイオ燃料電池の構成を示す分解斜視図である。なお、図２においては、図１に示す第１の実施形態の燃料電池の構成要素と同じものには、同じ符号を付し、その詳細な説明は省略する。図２に示すように、本実施形態のバイオ燃料電池２０は、カソード電極シート２とカソード側封止用シート１７との間に、気体透過膜１８が配置されており、カソード側封止用シート１７には複数の孔が設けられている。
【００４０】
［気体透過膜１８］
気体透過膜１８は、液体は透過せず気体のみを透過するものであり、例えばＰＴＦＥ膜などを使用することができる。また、その厚さや物性は、特に限定されるものではなく、電池全体の柔軟性を低下させない程度の柔軟性及び屈曲性を有し、屈曲させた際に特性が大きく変化しないものであればよい。
【００４１】
［封止用シート１７］
封止用シート１７には、電池内に空気を取り入れるための複数の孔１７ａが形成されている。これら孔１７ａの数及び大きさは、出力や動作環境などに応じて適宜設定することができる。また、封止用シート１７も、電池全体の柔軟性を低下させない程度の柔軟性及び屈曲性を有し、屈曲させた際に特性が大きく変化しないものであればよい。
【００４２】
本実施形態のバイオ燃料電池では、気体透過膜１８により電池内の溶液の流出を防止すると共に、封止用シート１７に形成した孔１７ａを設け、電池部内への空気（酸素）の流入量を多くしているため、空気極（アノード電極シート２）により多くの酸素を供給することが可能となる。
【００４３】
なお、本実施形態における上記以外の構成、動作及び効果は、前述した第１の実施形態と同様である。また、本実施形態の構成も、電池本体に電池部１９が１つ設けられた「単セル」構造のものだけでなく、複数の電池部が直列又は並列に接続されている構造のものにも適用することが可能である。
【００４４】
＜３．第３の実施の形態＞
［電池の全体構成］
次に、本発明の第３の実施形態に係るバイオ燃料電池について説明する。図３は本実施形態のバイオ燃料電池の動作を模試的に示す図であり、図４は図３に示すバイオ燃料電池を積層したときの動作を模式的に示す図である。図３に示すように、本実施形態のバイオ燃料電池３０は、前述した第１及び第２の実施形態のバイオ燃料電池を、山折りと谷折りが繰り返し形成された蛇腹構造としたものである。
【００４５】
前述した第１及び第２の実施形態のバイオ燃料電池は、柔軟な素材で形成されており、構造設計の自由度が高いため、図３に示すような蛇腹構造とすることも可能である。これにより、空気極における空気の通りを良好にするために、一定の間隔を保持しつつ、複数の電池を積層することが可能になるため、単位体積当たりの表面積が増加し、特に空気極の性能を向上させることができる。更に、図３に示すように、このバイオ燃料電池３０では、電池全体を伸縮させることにより、電池内の溶液を撹拌することができるため、電池性能の回復が容易である。
【００４６】
更に、このような蛇腹構造のバイオ燃料電池は、図４に示すように、積層することにより、複数の電池を直列又は並列に接続することが可能である。その場合、封止用シートに接続用端子を設ければよい。これにより、出力密度が高い電池が得られる。また、このように複数の電池を積層した場合でも、図４に示すように、積層したまま全体を伸縮させることにより、各電池内の溶液を撹拌することができるため、容易にかつ確実に電池性能を回復させることができる。
【実施例】
【００４７】
以下、本発明の実施例により、本発明の効果について具体的に説明する。本実施例においては、図２に示す第２の実施形態のバイオ燃料電池２０を使用して、外圧を加えたときの電流挙動について調べた。図５は本実施例のバイオ燃料電池で使用したカソード側封止用シート１７における孔配置１７ａを示す図である。その際、アノード電極シート１には、酵素（ＧＤＨ）、補酵素（ＮＡＤＨ）及びメディエーター（例えばＡＮＱ）が固定された炭素繊維電極（４ｃｍ×７ｃｍ）を使用した。またカソード電極シート２には、酵素（ＢＯＤ）及びメディエーター（Ｆｅ（ＣＮ））を固定が固定された炭素繊維電極（４ｃｍ×７ｃｍ）を使用した。
【００４８】
また、集電体３，４には、４ｃｍ×２ｃｍのチタンメッシュを使用し、これらを、導電性接着剤（天然黒鉛とバインダーを有機溶媒に分散させたもの）により、各電極シート１，２に導通接続した。更に、セパレータ５には、ＰＴＦＥからなる不織布を、７．５ｃｍ×４．５ｃｍの大きさにカットして使用した。更にまた、アノード側の封止用シート６には厚さ５０μｍのポリエステルフィルムを基材にした粘着テープを９ｃｍ×６ｃｍにカットして使用した。一方、カソード側封止用シート１７には、厚さ５０μｍのＰＴＦＥ膜を、９ｃｍ×６ｃｍにカットしたものを使用し、更に、図５に示すように、直径８ｍｍの孔１７ａを複数形成した。更に、燃料溶液には、０．４Ｍグルコース（ブドウ糖）・２Ｍイミダゾール溶液（ｐＨ７．０）を使用した。
【００４９】
そして、このフレキシブルバイオ燃料電池を、動作電力０．５Ｖで動作させた。図６は横軸に時間、縦軸に電流値をとって、本施例のバイオ燃料電池に外圧を加えたときの電流挙動を示すグラフ図である。前述した構成の本実施例のバイオ燃料電池２０を、発電中に手で曲げたところ、図６に示すように、電池性能の回復が確認された。これは、電池が変形したことにより、燃料極に燃料（ブドウ糖）が供給されたためと考えられる。
【符号の説明】
【００５０】
１  アノード電極シート
２  カソード電極シート
３  アノード集電体
４  カソード集電体
５  セパレータ
６  アノード側封止用シート
７，１７  カソード側封止用シート
９、１９  電池部
１１  シリンジ
１７ａ  孔
１８  気体透過膜
１０、２０、３０  バイオ燃料電池
【図１】
2011243398.tif 000003
【図２】
2011243398.tif 000004
【図３】
2011243398.tif 000005
【図４】
2011243398.tif 000006
【図５】
2011243398.tif 000007
【図６】
2011243398.tif 000008
【図７】
2011243398.tif 000009